(57)【要約】      （修正有）【課題】無線リモコンを使用することなく給湯装置本体からメンテナンス情報を容易に取得できる手段を講じる。【解決手段】給湯装置本体３と有線通信すると共に無線リモコン５と無線通信し、給湯装置本体３を遠隔操作する無線リモコン５の無線通信を中継する中継装置１にメンテナンス情報を表示させる。中継装置１は、無線リモコン５のアドレスを設定するためのスイッチ部１２、スイッチ部１２の操作で設定されたアドレスによる無線リモコン５からの要求と想定しこのアドレスを用いて給湯装置本体３と有線通信して給湯装置本体３に記憶されたメンテナンス情報を得るように制御する制御部１４、給湯装置本体３から受信したメンテナンス情報を表示する表示部１３を備える。このように無線リモコン５のアドレスを用いることで、無線リモコン５を使用せずに中継装置１にて給湯装置本体３と有線通信してメンテナンス情報を得て表示部１３に表示できる。【選択図】図１
2007333276.tif 000002
【特許請求の範囲】
【請求項１】
給湯装置本体と有線通信すると共に無線リモコンと無線通信し、給湯装置本体を遠隔操作する無線リモコンの無線通信を中継する中継装置であって、
無線リモコンのアドレスを設定するためのスイッチ部と、
上記スイッチ部の操作で設定されたアドレスによる無線リモコンからの要求と想定し、この無線リモコンのアドレスを用いて上記給湯装置本体と有線通信して給湯装置本体に記憶されたメンテナンス情報を得るように制御する制御部と、
上記給湯装置本体から受信した上記メンテナンス情報を表示する表示部とを備えることを特徴とする中継装置。
【請求項２】
請求項１に記載の中継装置において、
上記スイッチ部の操作により設定する無線リモコンのアドレスとして、無線リモコンが未登録の場合は、無線リモコンの空アドレスとする中継装置。
【請求項３】
請求項１に記載の中継装置において、
上記スイッチ部の操作により設定する無線リモコンのアドレスとして、無線リモコンが登録されている場合は、登録済みの無線リモコンの登録アドレスとする中継装置。
【発明の詳細な説明】
【技術分野】
【０００１】
本発明は、給湯装置本体と有線通信すると共に無線リモコンと無線通信し、給湯装置本体を遠隔操作する無線リモコンの無線通信を中継する中継装置に関するものである。
【背景技術】
【０００２】
従来より、給湯装置において、屋内でのリモコンの配線工事が不要で施工性がよく、また、既設の給湯装置にリモコンを簡易に後付設置できることから、屋外の給湯装置本体に中継装置（親機）を有線回線で接続し、この中継装置を中継させて屋内から無線リモコン（子機）の無線通信により給湯装置本体を遠隔操作するものがある（特許文献２）。無線リモコンは、浴室や台所等と複数台使用することが可能であり、各無線リモコンには中継装置の親ＩＤを登録し、中継装置には各無線リモコンの子ＩＤを登録することで、他の機器と混信することなく各無線リモコンと中継装置との間の無線通信を行っている。
【０００３】
また、各無線リモコンは、給湯運転等の通常使用に用いる以外に、給湯装置本体のメンテナンス作業時には、スイッチを特定操作して表示部に給湯装置本体のメンテナンス情報を表示させることも可能である（特許文献１）。このような無線リモコンは、自由に持ち出せるので、メンテナンス等の作業者は、無線リモコンを屋外に持ち出して、屋外の給湯装置本体の設置場所でメンテナンス情報を表示させ、このメンテナンス情報を参照しながら所定のメンテナンス作業を行える点でも便利である。
【特許文献１】特開平９−２８０５５７号公報
【特許文献２】特開２００５−３２８２９５号公報
【特許文献３】特開２００４−７６９６９号公報
【特許文献４】特開平１０−２１３３４８号公報
【発明の開示】
【発明が解決しようとする課題】
【０００４】
しかしながら、中継装置に無線リモコンが１台も登録されていない場合には、給湯装置本体のメンテナンス情報を確認することができない。例えば、住宅の屋外に給湯装置本体を据付けると共に中継装置を接続したが、無線リモコンは未だ１台もＩＤ登録されていない状況下で、給湯装置本体の設定条件の点検等のために給湯装置本体のメンテナンス情報を確認する必要が生じた場合等である。
また、中継装置に無線リモコンが少なくとも１台は登録されていても、留守宅であったり、無線リモコンが故障や電池切れ等している場合も、給湯装置本体のメンテナンス情報を確認することができない。このように、給湯装置本体のメンテナンス情報が参照できないと、給湯装置本体のメンテナンス作業が行えないこととなる。
【０００５】
そのため、このような場合に備えてメンテナンス用に無線リモコンを別に用意し、この無線リモコンを中継装置との間でＩＤ登録させ、この無線リモコンを操作することで給湯装置本体のメンテナンス情報を取得することも可能であるが、メンテナンス作業だけのために、わざわざ無線リモコンを用意し、メンテナンス作業時に中継装置との間でＩＤ登録させたり、また、メンテナンス作業の終了後にはこの無線リモコンのＩＤ登録を抹消させる必要もあり、非常に手間がかかる。しかも、メンテナンス作業に際して、使用するか、しないか分からない状況下で、無線リモコンを別に用意するのは、不経済且つメンテナンスのコスト高にもなる。また、別に無線リモコンを用意していても、中継装置には登録可能な台数分の無線リモコンがすべて登録されていると、これ以上に無線リモコンをＩＤ登録できないため、この場合は、メンテナンス情報を参照できない。
【０００６】
本発明は、上記事情に鑑みてなされたものであり、無線リモコンを使用することなく給湯装置本体からメンテナンス情報を容易に取得できる手段を講じることを課題とする。
【課題を解決するための手段】
【０００７】
（１）本発明に係る中継装置は、給湯装置本体と有線通信すると共に無線リモコンと無線通信し、給湯装置本体を遠隔操作する無線リモコンの無線通信を中継する中継装置であって、無線リモコンのアドレスを設定するためのスイッチ部と、上記スイッチ部の操作で設定されたアドレスによる無線リモコンからの要求と想定し、この無線リモコンのアドレスを用いて上記給湯装置本体と有線通信して給湯装置本体に記憶されたメンテナンス情報を得るように制御する制御部と、上記給湯装置本体から受信した上記メンテナンス情報を表示する表示部とを備えることを特徴とするものである（請求項１）。
ここで、無線リモコンのアドレスの設定は、例えば、スイッチ部の操作で自動設定されることでもよいし、スイッチ部から直接入力することでもよいし、あるいはスイッチ部の操作で既登録のアドレスを表示させて適宜選択すること等でもよい。
【０００８】
これにより、無線リモコンのアドレスを用いることで、給湯装置本体と有線通信して給湯装置本体に記憶されたメンテナンス情報を得て、このメンテナンス情報を表示部に表示するので、メンテナンス等の作業者は、無線リモコンに依存することなく中継装置においてメンテナンス情報を確実に参照できる。また、中継装置は、給湯装置本体の近傍に設置されるので、給湯装置本体のメンテナンス情報を給湯装置本体の傍で参照できる。
【０００９】
（２）上記スイッチ部の操作により設定する無線リモコンのアドレスとして、無線リモコンが未登録の場合は、無線リモコンの空アドレスとする（請求項２）。
これにより、無線リモコンが１台も登録されていない未登録の場合でも、中継装置において給湯装置本体のメンテナンス情報を表示させて参照できる。従って、無線リモコンが未登録の場合は、中継装置に無線リモコンの空アドレスを設定することでメンテナンス情報を得るので、別の無線リモコンをＩＤ登録してこの別の無線リモコンで給湯装置本体のメンテナンス情報を得る場合に比し、簡易且つ迅速にメンテナンス情報を参照でき、メンテナンス作業に支障を来たすこともない。
【００１０】
（３）上記スイッチ部の操作により設定する無線リモコンのアドレスとして、無線リモコンが登録されている場合は、登録済みの無線リモコンの登録アドレスとする（請求項３）。
これにより、無線リモコンが登録されているが、留守宅であったり、無線リモコンが故障や電池切れ等して屋内の無線リモコンを使用できない場合でも、中継装置において給湯装置本体のメンテナンス情報を確実に参照できる。従って、無線リモコンが登録されている場合は、中継装置に登録済みの無線リモコンのアドレスを設定することでメンテナンス情報を得るので、この場合も、簡易且つ迅速にメンテナンス情報を参照でき、メンテナンス作業に支障を来たすこともない。
【発明の効果】
【００１１】
以上のように、本発明によれば、無線リモコンと給湯装置本体との通信を中継する中継装置において、給湯装置本体のメンテナンス情報を表示させるようにするので、無線リモコンが未登録であったり、屋内の無線リモコンを使用できない状況下でも、無線リモコンに依存せずにメンテナンス情報を簡単に参照でき、メンテナンス作業に支障を来たすことがない。また、中継装置は、給湯装置本体の近傍に設置され、給湯装置本体のメンテナンス情報を給湯装置本体の傍で参照できるので、メンテナンス作業を効率的に行うことができる。従って、中継装置において給湯装置本体のメンテナンス情報を表示させることで、作業者は、無線リモコンの有無にかかわらずメンテナンス情報を確実に参照でき、その結果、屋外に設置される給湯装置本体の設定条件の点検やメンテナンス時の点検等を確実に且つ円滑に行うことができる。
【発明を実施するための最良の形態】
【００１２】
以下に、本発明の実施の形態について図面を参照しながら説明する。
図１に示すように、本実施の形態による中継装置１は、給湯装置の無線通信システムに用いられ、屋外で給湯装置本体３と有線通信すると共に屋内の無線リモコン５と無線通信し、給湯装置本体３を遠隔操作する無線リモコン５の無線通信を中継するものである。
【００１３】
給湯装置本体３は、バーナ３１、熱交換器３２、給気ファン３３、電子制御ユニット２等を備える。バーナ３１には、点火用のイグナイター７１、着火検知用のフレームロッド７２が設けられ、バーナ３１のガス供給路Ｇには、供給ガス量を調節するガス量調節弁７３、ガス供給路Ｇを開閉する遮断弁７４が設けられている。熱交換器３２には、上流側に水道水の給水路Ｗ１が接続され、下流側に湯の給湯路Ｗ２が接続されている。そして、給水路Ｗ１には、出湯量検知のための水量センサＳ１、給水温検知のための給水温センサＳ２が設けられ、給湯路Ｗ２には、出湯温検知のための出湯温センサＳ３、出湯量を調節する流量調節弁７５が設けられている。給湯路Ｗ２の末端には、開栓又閉栓の切替え操作を行うカラン３４が接続されている。
【００１４】
電子制御ユニット２には、イグナイター７１、フレームロッド７２、ガス量調節弁７３、遮断弁７４、水量センサＳ１、給水温センサＳ２、出湯温センサＳ３、流量調節弁７５、給気ファン３３が接続され、給湯装置本体３の各種動作を制御する。また、電子制御ユニット２には、記憶手段Ｍが接続され、この記憶手段Ｍには、給湯装置本体３の設定条件や運転履歴等の情報からなるメンテナンス情報が記憶されている。記憶手段Ｍは、例えば、ＥＥＰＲＯＭ等で構成され、電子制御ユニット２の制御によってメンテナンス情報が読み出し、書き換えられる。ここで、メンテナンス情報とは、例えば、設定条件として、型式、適用ガス種、給湯能力、設定給湯温度、設定ファン回転数、設定流量等が例示され、また、運転履歴として、燃焼時間、給水温度、出湯温度、故障履歴等が例示される。そして、電子制御ユニット２は、図示しない通信回路が設けられて有線回線を通じて中継装置１と接続されており、中継装置１との間で有線通信による各種情報のやり取りを行う。
【００１５】
無線リモコン５は、中継装置１との間で無線通信を行うリモコン無線通信回路５０、給湯装置本体３の遠隔操作等を行うリモコンスイッチ部５１、リモコンスイッチ部５１での操作情報や給湯装置本体３の運転情報等を表示するリモコン表示部５２、無線リモコン５の各種動作を制御するリモコン制御部５３、自己の子ＩＤや中継装置１の親ＩＤ等を記憶するリモコンメモリ５４等を備える。
【００１６】
無線リモコン５の外観構成としては、図２（ａ）に示すように、給湯装置本体３に対する運転スイッチ５５、給湯温度を設定するＵＰスイッチ５６とＤＯＷＮスイッチ５７、給湯温度の設定を他の無線リモコン５に優先して行う優先スイッチ５８、給湯温度や給湯装置本体３の運転状態等を表示するための液晶パネル５９等を備える。なお、運転スイッチ５５、ＵＰスイッチ５６、ＤＯＷＮスイッチ５７、優先スイッチ５８等が上記リモコンスイッチ部５１を構成し、液晶パネル５９が上記リモコン表示部５２を構成する。そして、メンテナンス作業時、この無線リモコン５は、リモコンスイッチ部５１が特殊スイッチとなって給湯装置本体３のメンテナンス情報をリモコン表示部５２に表示することができる。
【００１７】
中継装置１は、例えば、最大で４台の無線リモコン５との間でデータ通信を行うことが可能であり、その構成として、給湯装置本体３との有線通信を行う有線通信回路１０、無線リモコン５との無線通信を行う無線通信回路１１、無線リモコン５の登録等を行うスイッチ部１２、無線リモコン５の登録状況やメンテナンス情報等を表示する表示部１３、中継装置１の各種動作を制御する制御部１４、自己の親ＩＤや各無線リモコン５の子ＩＤ等を記憶するメモリ１５等を備える。
【００１８】
中継装置１の外観構成として、図３（ｂ）に示すように、上部で軸支されて前面を開閉自在とする蓋部４、無線リモコン５の登録を行う登録スイッチ１６、無線リモコン５の登録を１台ずつ個別に抹消する登録クリアスイッチ１７ａ〜１７ｄ、無線リモコン５の登録状況を示す登録ＬＥＤ１８ａ〜１８ｄ、メンテナンス情報を表示する表示パネル１９等を備える。なお、登録スイッチ１６や登録クリアスイッチ１７ａ〜１７ｄが上記スイッチ部１２を構成し、登録ＬＥＤ１８ａ〜１８ｄや表示パネル１９が上記表示部１３を構成する。
【００１９】
そして、この中継装置１においても、メンテナンス作業時は、スイッチ部１２が特殊スイッチとなって給湯装置本体３のメンテナンス情報を表示部１３（表示パネル１９）に表示することができる。例えば、登録クリアスイッチ１７ａ〜１７ｄは、各無線リモコン５毎に子ＩＤの登録抹消を個別に行うものであるが、メンテナンス作業時には、特定操作を行うことで、給湯装置本体３のメンテナンス情報を表示部１３に表示させる際の特殊スイッチとしても機能する。
【００２０】
中継装置１と無線リモコン５との間で互いのＩＤ登録を行うペアリング処理としては、例えば、給湯装置本体３の設置作業者が中継装置１の登録スイッチ１６を操作し、次いで未登録の無線リモコン５の運転スイッチ５５を操作し、中継装置１と無線リモコン５間で親ＩＤと子ＩＤとを互いに送受信させる。すると、中継装置１と無線リモコン５間で互いの通信相手が認識され、無線リモコン５には中継装置１の親ＩＤが登録され、中継装置１には通信相手の無線リモコン５の子ＩＤが登録される。これにより、無線リモコン５と中継装置１との間でＩＤ登録が完了し、以後は、互いに通信相手として無線通信が可能となり、中継装置１を中継して、無線リモコン５から給湯装置本体３を遠隔操作でき、また、給湯装置本体３の各種の情報を無線リモコン５において表示可能となる。
【００２１】
そして、無線リモコン５は、運転スイッチ５５をオン操作すると、中継装置１を中継して子ＩＤを含むデータ通信により、給湯装置本体３における現在の設定給湯温度等が液晶パネル５９に表示され、優先スイッチ５８をオン操作すると共にＵＰスイッチ５６とＤＯＷＮスイッチ５７のスイッチ操作で給湯装置本体３の設定給湯温度を要求温度に変更できる。そして、カラン３４を開栓すると、給湯装置本体３の動作制御によってこの無線リモコン５での設定給湯温度の湯が出湯口から出湯される。
【００２２】
また、無線リモコン５は、上記給湯運転の通常使用に用いる以外に、メンテナンス作業時には、中継装置１を中継して子ＩＤを含む無線データ通信により、その液晶パネル５９に給湯装置本体３のメンテナンス情報を表示させることができる。例えば、運転スイッチ５５をオン状態で、ＵＰスイッチ５６とＤＯＷＮスイッチ５７とを同時押しする特定操作を行うと、液晶パネル５９（リモコン表示部５２）がメンテナンスモードに切り換わり、中継装置１を中継して、子ＩＤを含む無線データ通信により給湯装置本体３からメンテナンス情報がデータ送信され、このメンテナンス情報が液晶パネル５９に表示される。この状態で、ＵＰスイッチ５６とＤＯＷＮスイッチ５７とを適宜操作することで、各種のメンテナンス情報を逐次表示させることができる。
【００２３】
次に、中継装置１でメンテナンス情報を表示させる場合を説明する。
中継装置１は、通常、無線リモコン５と給湯装置本体３との間の通信を中継し、また、無線リモコン５の登録や登録抹消等を行うためのものであるが、このものは、無線リモコン５の場合と同様に給湯装置本体３のメンテナンス情報を表示させる機能をも有する。
図３に示すように、この中継装置１で給湯装置本体３のメンテナンス情報を表示させるには、まず、中継装置１を特定操作して（Ｓ１）、中継装置１を通常モードからメンテナンス表示モードにする。例えば、登録クリアスイッチ１７ａ〜１７ｄのうち任意の２つを同時押しする特定操作を行うと、中継装置１は、メンテナンス表示モードとなる。すると、各登録クリアスイッチ１７ａ〜１７ｄは、メンテナンス情報を参照するための特殊スイッチ（選択ボタン１７ａ、決定ボタン１７ｂ、進みボタン１７ｃ、戻りボタン１７ｄ）となり、表示パネル１９が表示起動される。
【００２４】
また同時に、メモリ１５における無線リモコン５の登録情報を認識し、中継装置１に無線リモコン５が１台も登録されていない未登録の場合（Ｓ２で「Ｎｏ」）、表示パネル１９は、無線リモコン５の空アドレス（子ＩＤ）の入力待ち画面となる。そして、選択ボタン１７ａを操作して無線リモコン５の空アドレスを選択すると共に、決定ボタン１７ｂを操作して決定し、無線リモコン５の空アドレス、すなわち未登録の子ＩＤを中継装置１に入力する。ここで、子ＩＤは、例えば、数字、アルファベット、記号等からなる５桁のコードであり、各無線リモコン５においては予め固有の子ＩＤが付与されているが、この場合は、実際の無線リモコン５が存在しないので、作業者が全く自由な子ＩＤを決定できる。なお、無線リモコン５の空アドレスとして入力される子ＩＤは、このメンテナンス表示モードの間だけ有効で給湯装置本体３にアクセスするための認証キーとして作用するものである。
【００２５】
従って、無線リモコン５の空アドレスが入力されると、中継装置１の制御部１４は、この空アドレスにより想定された仮想の無線リモコン５からの要求として、メンテナンス情報を参照する旨の有線データを給湯装置本体３に送信する（Ｓ３）。そして、この要求を受けた給湯装置本体３は、電子制御ユニット２の制御によって記憶手段Ｍからメンテナンス情報を読み出し中継装置１にデータ送信する。中継装置１は、給湯装置本体３からメンテナンス情報をデータ受信すると（Ｓ５）、このメンテナンス情報を中継装置１の表示パネル１９に表示させる（Ｓ６）。このとき、中継装置１において、特殊スイッチとなった進みボタン１７ｃ、戻りボタン１７ｄを操作して、表示パネル１９にメンテナンス情報を適宜に表示させる。なお、表示パネル１９に表示されるメンテナンス情報は、数字、記号、コード等のほか、日本語や英語等による文字情報として提供することもできる。
【００２６】
このようにして、中継装置１に無線リモコン５が未登録である場合は、無線リモコン５の空アドレス（未登録の無線リモコン５の子ＩＤ）を中継装置１に入力し、この無線リモコン５が中継装置１にＩＤ登録されていると想定させ、この仮想の無線リモコン５からの要求として給湯装置本体３のメンテナンス情報を中継装置１の表示パネル１９にて表示させるようにする。これにより、無線リモコン５が１台も登録されていないような場合でも、中継装置１において給湯装置本体３のメンテナンス情報を表示させて参照することができる。
【００２７】
一方、中継装置１には少なくとも１台の無線リモコン５が登録されている場合（Ｓ２で「Ｙｅｓ」）、メンテナンス情報を表示させるための特定操作を行うと、表示パネル１９には、登録済みの無線リモコン５の登録アドレスの入力待ち画面となる。このとき、表示パネル１９には、例えば、メモリ１５に登録された子ＩＤが登録アドレスとして表示されるようにしてもよい。そして、選択ボタン１７ａを操作して登録済みの無線リモコン５の登録アドレスを選択すると共に、決定ボタン１７ｂを操作して決定し、特定の無線リモコン５の登録アドレス、すなわち登録済みの子ＩＤを入力する。なお、ここで、入力される無線リモコン５の登録済みの子ＩＤも、このメンテナンス表示モードの間だけ有効で給湯装置本体３にアクセスするための認証キーとして作用するものである。
【００２８】
すると、中継装置１の制御部１４は、この登録アドレスによる無線リモコン５からの要求として、メンテナンス情報を参照する旨の有線データを給湯装置本体３に送信する（Ｓ４）。この要求を受けた給湯装置本体３は、電子制御ユニット２の制御によって記憶手段Ｍからメンテナンス情報を読み出し中継装置１にデータ送信する。そして、中継装置１は、給湯装置本体３からメンテナンス情報をデータ受信すると（Ｓ５）、このメンテナンス情報を中継装置１の表示パネル１９に表示させる（Ｓ６）。このとき、中継装置１において、特殊スイッチとなった進みボタン１７ｃ、戻りボタン１７ｄを操作して、表示パネル１９に所望のメンテナンス情報を適宜に表示させる。
【００２９】
このようにして、中継装置１に無線リモコン５が登録されている場合でも、登録済みの無線リモコン５の登録アドレス（登録済みの無線リモコン５の子ＩＤ）を中継装置１に入力し、この登録済みの無線リモコン５からの要求として給湯装置本体３のメンテナンス情報を中継装置１の表示パネル１９にて表示させるようにする。これにより、無線リモコン５が故障や電池切れ等している場合でも、中継装置１において給湯装置本体３のメンテナンス情報を表示させて参照することができる。
【００３０】
以上のように、本実施の形態による中継装置１によれば、無線リモコン５と給湯装置本体３との通信を中継する中継装置１において、給湯装置本体３のメンテナンス情報を表示させるようにするので、無線リモコン５が未登録であったり、屋内の無線リモコン５を使用できない状況下でも、無線リモコン５に依存せずにメンテナンス情報を簡単に参照でき、メンテナンス作業に支障を来たすことがない。また、中継装置１は、給湯装置本体３の近傍に設置され、給湯装置本体３のメンテナンス情報を給湯装置本体３の傍で参照できるので、メンテナンス作業を効率的に行うことができる。従って、中継装置１において給湯装置本体３のメンテナンス情報を表示させることで、作業者は、無線リモコン５の有無にかかわらずメンテナンス情報を確実に参照でき、その結果、屋外に設置される給湯装置本体３の設定条件の点検やメンテナンス時の点検等を確実に且つ円滑に行うことができる。
【００３１】
（その他）
（１）実施の形態では、中継装置１に１台も無線リモコン５がＩＤ登録されていない場合に未登録の無線リモコン５の空アドレスを入力するようにしたが、中継装置１には無線リモコン未登録の空きが少なくとも１台あれば、空アドレスを入力することでも中継装置１の表示パネル１９にメンテナンス情報を表示させる制御構成としてもよい。
すなわち、中継装置１には、無線リモコン５がＩＤ登録されているが、登録可能な台数分のすべてが登録されてない場合は、未登録の無線リモコン５の空アドレスを入力しても、登録済みの無線リモコン５の登録アドレスを入力しても、中継装置１の表示パネル１９にメンテナンス情報を表示させる制御構成としてもよい。
（２）また、中継装置１に無線リモコン未登録の空きが少なくとも１台ある場合にだけ、未登録の無線リモコン５の空アドレスを入力することで中継装置１の表示パネル１９にメンテナンス情報を表示させる制御構成としてもよい。
（３）また、中継装置１に少なくとも１台の無線リモコン５がＩＤ登録されている場合にだけ、登録済みの無線リモコン５のアドレスを入力することで中継装置１の表示パネル１９にメンテナンス情報を表示させる制御構成としてもよい。
（４）また、中継装置１の登録クリアスイッチ１７ａ〜１７ｄは、メンテナンス情報を表示させるために、特定操作により特殊スイッチとして機能させるようにするが、メンテナンス情報を表示させるときに使用する専用スイッチを設けるようにしてもよい。
（５）また、中継装置１の表示パネル１９は、メンテナンス情報を表示する以外に、例えば、無線リモコン５の操作情報や給湯装置本体３の運転情報等のような無線リモコン５と給湯装置本体３との間の通信の中継により得られる情報や、中継装置１を外部回線（電話回線やインターネット回線等）と接続し、これより得られる各種の情報（例えば、メンテナンスマニュアル情報等）等をも表示可能に構成してもよい。
【００３２】
（６）本発明の中継装置は、メンテナンス情報の表示のためのスイッチ部１２の操作（例えば登録クリアスイッチ１７ａ〜１７ｄの特定操作）を行うと、無線リモコン５のアドレスとなる子ＩＤが自動設定されて給湯装置本体３とデータ通信するようにしてもよい。
この場合、使用される子ＩＤとして、常に仮想の無線リモコンの空アドレスとなる子ＩＤが自動設定されることでもよいし、あるいは、所望の優先順位に従って設定されることでもよい。例えば、台所用無線リモコン５と風呂用無線リモコン５とが登録されていると、台所用無線リモコン５の子ＩＤ（アドレス）が優先的に自動設定され、そして、中継装置１に無線リモコン５が１台も登録されていない場合は、仮想の無線リモコン５の空アドレスとなる子ＩＤが自動設定されるように制御部１４を構成してもよい。なお、仮想の無線リモコン５の空アドレスは、中継装置１の制御部１４においてランダムに設定するようにしてもよいし、メモリ１５に事前に登録されていてもよい。
これにより、作業者が無線リモコン５のアドレスを直接入力する手間が省け、中継装置１でのメンテナンス情報の表示を簡易且つ迅速に行うことができる。
【図面の簡単な説明】
【００３３】
【図１】本発明の実施の形態による中継装置を適用した無線通信システムの構成を示すブロック図である。
【図２】無線リモコン（図２（ａ））と中継装置（図２（ｂ））の外観構成を示す平面図である。
【図３】メンテナンス情報を中継装置に表示させるときの動作手順を示すフローチャートである。
【符号の説明】
【００３４】
１  中継装置
２  電子制御ユニット
３  給湯装置本体
５  無線リモコン
６  有線通信線
１０  有線通信回路
１１  無線通信回路
１２  スイッチ部
１３  表示部
１５  メモリ
１６  登録スイッチ
１７ａ  登録クリアスイッチ（特殊スイッチ：選択ボタン）
１７ｂ  登録クリアスイッチ（特殊スイッチ：決定ボタン）
１７ｃ  登録クリアスイッチ（特殊スイッチ：進みボタン）
１７ｄ  登録クリアスイッチ（特殊スイッチ：戻りボタン）
１８ａ〜１８ｄ  登録ＬＥＤ
１９  表示パネル
Ｍ  記憶手段
【図１】
2007333276.tif 000003
【図２】
2007333276.tif 000004
【図３】
2007333276.tif 000005